(57)【要約】【課題】気泡やダマの残留を抑制することで、生体排液を均一なゲルの状態で収容することが可能な容器を提供する。【解決手段】本発明は生体排液を収容するための容器１００であって、生体排液を流入させる第１室１０と、生体排液を吸収してゲル化する材料２２が配設された第２室２０と、第１室１０と第２室２０とを仕切る隔壁３０と、を有する。隔壁３０は、生体排液を第１室１０から第２室へ通過させる透液部３２と、透液部３２よりも生体排液を通過させにくい非透液部３４と、を容器の上下方向に交互に配置してなり、容器に最初に流入する生体排液が、第２室における材料２２の上面２２Ａよりも下部の透液部３２Ａを介して第１室１０から第２室２０へ流入するよう構成したことを特徴とする。【選択図】図１
2013169242.tif 000002
【特許請求の範囲】
【請求項１】
生体排液を収容するための容器であって、
前記生体排液を流入させる第１室と、
前記生体排液を吸収してゲル化する材料が配設された第２室と、
前記第１室と前記第２室とを仕切る隔壁と、を有し、
該隔壁が、前記生体排液を前記第１室から前記第２室へ通過させる透液部と、該透液部よりも前記生体排液を前記第１室から前記第２室へ通過させにくい非透液部と、を前記容器の上下方向に交互に配置してなり、
前記容器に最初に流入する生体排液が、前記第２室における前記材料の上面よりも下部の透液部を介して前記第１室から前記第２室へ流入するよう構成したことを特徴とする容器。
【請求項２】
前記隔壁が、複数枚の帯状シートを、各帯状シートの一部が、隣接する帯状シートの一部と重なり合うように前記容器の上下方向に配置してなり、隣接する帯状シート同士の重なる部分は下側の帯状シートが上側の帯状シートよりも第２室側に位置するように重なることで前記透液部を構成し、各帯状シートが隣接する帯状シートと重ならない部分が前記非透液部を構成する請求項１に記載の容器。
【請求項３】
前記生体排液の吸収によるゲルの膨張に伴い、前記隔壁の前記透液部のうち前記容器の下方の透液部から順に、前記第１室に流入する尿の各透液部への到達が抑制される請求項２に記載の容器。
【請求項４】
前記隔壁の最下部が前記透液部である請求項２に記載の容器。
【請求項５】
前記隔壁の前記第２室側にメッシュ構造のシートを有する請求項２に記載の容器。
【発明の詳細な説明】
【技術分野】
【０００１】
本発明は、尿などの生体排液をゲルの状態で収容するための容器に関する。
【背景技術】
【０００２】
尿などの生体排液を一時的に収容し、その量を計測したり性状を観察したりするための医療用の容器が医療機関等で広く使用されている。当該容器は通常可撓性のプラスチック製シートからなり、尿を収容するものは「蓄尿バッグ」と呼ばれている。
【０００３】
現在、蓄尿バッグは数週間使いまわしされるのが一般的であり、臭いや雑菌の問題がしばしば指摘されてきた。また、現在の蓄尿バッグでは、尿を廃棄する際、蓄尿バッグの排尿口からバケツや紙コップへと一旦バッグ内の尿を回収し、それをトイレや排泄口に流して廃棄するのが一般的である。しかし、このように尿を液状のまま廃棄すると尿を回収する際に尿が周囲環境および医療従事者へと飛散するおそれがあり衛生的ではない。そのため、蓄尿バッグの内部に尿を吸収してゲル化する材料を配置し、該材料が少なくとも廃棄時までに尿を吸収してゲル化する蓄尿バッグが検討されている。
【０００４】
特許文献１には、尿を吸収してゲル化する粉末を内部に配置した容器が記載されている。図７には、このような容器の例として、２枚の透明の非透水性シート５０，６０を外周でシールし、尿を吸収してゲル化する粉末２２を内部に配置した蓄尿バッグ３００を示した。
【先行技術文献】
【特許文献】
【０００５】
【特許文献１】特開２００３−１２５９７５号公報
【発明の概要】
【発明が解決しようとする課題】
【０００６】
しかしながら、図７に示す従来の蓄尿バッグ３００に尿を流入させた場合、粉末が尿を吸収してゲル化する際にゲル内に気泡が残留したり、蓄尿バッグ内で局所的にゲル化する部分とゲル化しない部分とが分離してダマができたりする結果、ゲルが不均一に形成されるという問題があることが判明した。ここでいう「ダマ」とは、ゲルの内部にゲル化できずに残留した粉末の集合体のことである。不均一なゲル化が起こると、ゲル化した状態での尿の量の計測や性状の観察を正確かつ簡易に行うことができず、尿を吸収してゲル化する材料を用いた蓄尿バッグの実用化の障害となっている。また、この問題は尿に限らず、腹水／胸水、胆汁、消化管液、術野浸出液、脳脊髄液、のドレナージ、腹膜透析液などの一般的な生体排液を収容する容器にも同様に当てはまる。
【０００７】
そこで本発明は、上記課題に鑑み、気泡やダマの残留を抑制することで、生体排液を均一なゲルの状態で収容することが可能な容器を提供することを目的とする。
【課題を解決するための手段】
【０００８】
上記の目的を達成するべく、本発明の要旨構成は以下のとおりである。
本発明の容器は、生体排液を収容するための容器であって、
前記生体排液を流入させる第１室と、
前記生体排液を吸収してゲル化する材料が配設された第２室と、
前記第１室と前記第２室とを仕切る隔壁と、を有し、
該隔壁が、前記生体排液を前記第１室から前記第２室へ通過させる透液部と、該透液部よりも前記生体排液を前記第１室から前記第２室へ通過させにくい非透液部と、を前記容器の上下方向に交互に配置してなり、
前記容器に最初に流入する生体排液が、前記第２室における前記材料の上面よりも下部の透液部を介して前記第１室から前記第２室へ流入するよう構成したことを特徴とする。
【０００９】
このとき前記隔壁が、複数枚の帯状シートを、各帯状シートの一部が、隣接する帯状シートの一部と重なり合うように前記容器の上下方向に配置してなり、隣接する帯状シート同士の重なる部分は下側の帯状シートが上側の帯状シートよりも第２室側に位置するように重なることで前記透液部を構成し、各帯状シートが隣接する帯状シートと重ならない部分が前記非透液部を構成するようにすることが好ましい。
【００１０】
また本発明の容器は、前記生体排液の吸収によるゲルの膨張に伴い、前記隔壁の前記透液部のうち前記容器の下方の透液部から順に、前記第１室に流入する尿の各透液部への到達が抑制されるようにすることが好ましい。
【００１１】
さらに本発明の容器は、前記隔壁の最下部が前記透液部であることが好ましい。
【００１２】
また本発明の容器は、前記隔壁の前記第２室側にメッシュ構造のシートを有することが好ましい。
【発明の効果】
【００１３】
本発明によれば、気泡やダマの残留を抑制することで、生体排液を均一なゲルの状態で収容することが可能な容器を提供することができる。
【図面の簡単な説明】
【００１４】
【図１】（Ａ）は、本発明に従う容器１００の正面図であり、（Ｂ）は、（Ａ）のＩ−Ｉ断面図である。
【図２】（Ａ）は、容器１００の隔壁３０の詳細を示す断面図であり、（Ｂ）は隔壁３０を第１室１０側から観察した図であり、（Ｃ）は他の例の隔壁について（Ｂ）のＩＩ−ＩＩ断面の位置における断面図である。
【図３】容器１００に最初に尿を流入させた状態を示す図であり、（Ａ）は容器の断面図、（Ｂ）は隔壁周辺の断面図である。
【図４】容器１００の使用中期で尿を流入させた状態を示す図であり、（Ａ）は容器の断面図、（Ｂ）は隔壁周辺の断面図である。
【図５】容器１００の使用末期で尿を流入させた状態を示す容器の断面図である。
【図６】（Ａ）は、本発明に従う他の容器２００の正面斜視図であり、（Ｂ）は、（Ａ）のＩＩＩ−ＩＩＩ断面図である。
【図７】従来の容器３００の断面図である。
【発明を実施するための形態】
【００１５】
以下、図１〜６を参照しつつ本発明の実施形態をより詳細に説明する。
【００１６】
（実施形態１）
図１〜５を参照して、本発明の一実施形態にかかる容器（蓄尿バッグ）１００を説明する。容器１００は、尿をゲルの状態で収容するための容器である。容器１００は、図１（Ａ），（Ｂ）に示すように、２枚の透明の非透水性シートからなる外装シート５０，６０を外周でシールし、内部空間を形成した蓄尿バッグである。容器１００は、尿を流入させる第１室１０と、尿を吸収してゲル化する材料である粉末状のゲル化材２２が配設された第２室２０と、第１室１０と第２室２０とを仕切る隔壁３０と、を有する。すなわち、図１（Ｂ）に示すように、導尿口７０は第１室１０と連通しており、導尿口７０から第１室１０へと尿を流入させることができる。
【００１７】
ここで、この容器１００の特徴的構成は、隔壁３０が、尿を第１室１０から第２室へ通過させる透液部３２Ａ〜Ｆと、この透液部３２よりも尿を通過させにくい非透液部３４Ａ〜Ｆと、を容器１００の上下方向に交互に配置してなり、容器１００に最初に流入する尿が、第２室におけるゲル化材２２の上面２２Ａよりも下部の透液部３２Ａを介して第１室１０から第２室２０へ流入するよう構成したことである。このような構成を採用したことの技術的意義は、尿の流入過程とともに後述する。
【００１８】
なお、本明細書において「容器の上下方向」は、容器の通常使用状態における鉛直方向と一致する。図１では、紙面上方向が容器１００の上方向、紙面下方向が容器１００の下方向となり、第２室２０においてゲル化材は容器の下方向に溜まる。
【００１９】
隔壁３０の詳細な構造を図２（Ａ），（Ｂ）により説明する。隔壁３０は、複数枚（本実施形態では６枚）の帯状シート３６を、各帯状シートの一部が、隣接する帯状シートの一部と重なり合うように容器１００の上下方向に配置してなる。すなわち、複数の帯状シート３６がブラインドのような構造となっている。このとき、隣接する帯状シート同士の重なる部分３２Ｂ〜３２Ｆは、下側の帯状シートが上側の帯状シートよりも第２室２０側に位置するように重なっており、当該部分が透液部を構成する。各帯状シート３６が隣接する帯状シートと重ならない部分３４Ａ〜３４Ｆが非透液部を構成する。本実施形態では非透液部３４は尿を通過させない。隔壁３０の図２（Ｂ）に示す幅方向両端は、外装シート５０，６０とともにシールされている。また、図１（Ｂ）に示すように、隔壁の最下部は透液部３２Ａとなっており、本実施形態では、隔壁が容器の最下部に隙間３８を有しており、これが透液部３２Ａに相当する。
【００２０】
本発明者らの検討によれば、図７に示す従来の蓄尿バッグ３００でゲル化の際に気泡やダマが残留する理由は、尿をゲル化材２２の上面から流入させることにあった。ゲル化材２２の上面が尿と接触すると、ゲル化材の上面がゲルの被膜へと変化する結果、ゲルの被膜の直下に未反応のゲル化材が残存することになるのである。残存したゲル化材はゲルの被膜に遮られ、尿と接触しづらいため、その後尿を導入し続けると気泡やダマが残留する。また、ゲル化材はゲル化した後も吸水余力がなくなるまで尿を吸収し、膨張し続けるが、このとき吸水余力があるゲル部分と尿を十分に吸収し吸水余力がなくなったゲル部分とがランダムに混在してしまううえに、尿の供給箇所も制御できない。このため、不均一なゲル化が生じてしまう。
【００２１】
そこで本発明者らは、流入初期段階ではゲル化材の下部から尿を流入させるとともに、その後はゲル化していないゲル化材部分の下部や、膨張したゲルのうち吸水余力の残っているゲル部分に対して、効果的に尿を流入させることが可能な構造を検討し、本発明を完成するに至った。
【００２２】
ここで図３〜５により尿の流入過程の第１の例を説明する。本実施形態の容器１００によれば、第１室１０と第２室とを隔壁３０で区画し、第２室にゲル化材２２を配置し、隔壁３０を透液部３２と非透液部３４とを交互に設ける構成とした。このため、図３（Ａ），（Ｂ）に示すように、容器１００に最初に流入する尿は、第１室１０の下方向に移動し、隔壁の一番下の透液部３２Ａである隙間３８を介して第１室１０から第２室２０へ流入する。このように容器の底にあるゲル化材の下部から尿と接触させてゲル化を始めることができる。
【００２３】
ゲル化材の下部はゲル化するとともに膨張するが、吸水余力がなくなるまでは隙間３８から尿を吸収し、膨張を続ける。容器の底のゲルに吸水余力がなくなると、隙間３８からは尿を吸収しなくなる。その頃には図４（Ａ）に示すように、隔壁３０の下部が第１室１０側に押し込まれ、第１室１０の下部の容積が減少し、その結果、隔壁の一番下の隙間３８はゲルと外装シート５０とで塞がれる。また、図４（Ｂ）に示すように、ゲル２４の上に未反応のゲル化材２２が位置する。さらに、ゲル２４のうち下部のゲルは吸水余力がなくなっているが、中部・上部のゲルには吸水余力が残っている。この段階では、隙間３８近傍のゲルは尿を吸収しない上に、ゲルの膨張によって第１室の下部が潰された結果、尿は下から２番目の透液部３２Ｂを介して第１室１０から第２室２０へ流入する。このとき、すでに第２室の透液部３２Ｂの高さを超えてゲル２４が成長しており、かつ、この高さのゲルは吸水余力を残している。よって、吸水余力を残したゲルに対して効率的に尿を流入させることができる。
【００２４】
本実施形態において、透液部３２Ｂ〜Ｆは隣接する帯状シート同士の重なる部分となる。例えば下から２番目の透液部３２Ｂの場合、図４（Ｂ）に示すように、重なり合う２枚の帯状シートのうち下側のシートが尿に押されて第２室２０側に倒れこむことで、２枚の帯状シート間にわずかに隙間が生じ、ここから尿が第２室２０へと流入する。このように本実施形態では、透液部３２Ｂ〜Ｆを尿が通過する際に、尿は容器の下から上の方向に向かって移動する。
【００２５】
なお、隣接する帯状シート同士の重なる部分にはじめから隙間を設けておくと、尿の第２室への流入をより確実に行えるため好ましい。一例を図２（Ｃ）に示す。図２（Ｃ）は、図２（Ａ），（Ｂ）に示す隔壁３０とは異なる隔壁について、図２（Ｂ）のＩＩ−ＩＩ断面の位置で切断した断面図である。このように、下の隔壁３６Ａの上端部分を波型に加工しておき、上の隔壁３６Ｂの下端部分は平坦となっているため、帯状シート３６Ａと帯状シート３６Ｂとの重なる部分に隙間３９が形成される。各帯状シートについて、上端部分を波型に加工し、下端部分を平坦とすれば、全ての透液部３２Ｂ〜３２Ｆで同様の隙間を形成することができる。なお、隙間を形成する態様はこれに限られず、図２（Ｃ）とは反対に、下の隔壁３６Ａの上端部分を平坦にし、上の隔壁３６Ｂの下端部分を波型に加工したり、両方を波型に加工したりしてもよい。
【００２６】
下から２番目の透液部３２Ｂの高さのゲルに吸水余力がなくなる頃には、第１室１０の当該高さの領域はゲルに潰されるとともに、下から３番目の透液部３２Ｃの高さを超えてゲルが成長している。そのため、次は透液部３２Ｃを介して尿が第２室２０に流入する。このとき、透液部３２Ｃの高さのゲルは吸水余力を残しているため、やはり吸水余力を残したゲルに対して効率的に尿を流入させることができる。これをくり返すうち、ゲル２４は第２室の上方向へとさらに成長しつつゲル化材２２は少しずつ減少する。
【００２７】
全てのゲル化材がゲル化する頃には、図５に示すように、第１室１０の大部分がゲルで潰されるとともに、最上部の透液部３２Ｆの高さを超えてゲルが成長している。そのため、最後は最上部の透液部３２Ｆを介して尿が第２室２０に流入する。このとき、透液部３２Ｆの高さのゲルは吸水余力を残している一方、それより下のゲルには吸水余力がなくなっている。透液部３２Ｆの高さのゲルの吸水余力がなくなると、容器１００の中でこれ以上尿をゲルの状態で保持できないため、ここまでで尿の流入を中止する。
【００２８】
以上説明したように、本実施形態の容器１００によれば、最初に流入する尿はゲル化材２２の下部から吸収させ、さらに、その後はゲル化材２２に直接尿が流入することなく、しかも、吸水余力を残したゲル２４に適時に尿が供給される。そのため、気泡やダマの残留が抑制され、その結果、尿を均一なゲルの状態で収容することが可能となる。なお、本発明は、ゲル化材と尿が接触すればよく、その結果尿の全てがゲルの状態となることには限定されず、尿の一部がゾルの状態のままでもよい。
【００２９】
図３〜５で示した尿の流入過程の一例では、下から２番目以上の透水部３２Ｂ〜３２Ｆから尿が第２室２０に流入する際には、吸水余力を残したゲル２４に尿が供給される。しかし、本発明はこれに限定されず、第２の例として、ゲル化していないゲル化材部分の上面より下部に尿が供給されるものでもよい。この場合でも、気泡やダマの残留が抑制され、その結果、尿を均一なゲルの状態で収容することが可能となる。ただしこの場合は、例えば各透液部３２Ｂから尿がゲル化材に供給されて当該ゲル化材がゲル化した後、その前の透液部３２Ａから供給された尿によって成長したゲルと一体化し、ゲルとゲルとの間にゲル化材が残らないことが好ましい。
【００３０】
また、本実施形態の容器１００では、尿の吸収によるゲル２４の膨張に伴い、隔壁３０の透液部３２Ａ〜Ｆのうち容器の下方の透液部から順に、すなわち、透液部３２Ａ，３２Ｂ，３２Ｃ，３２Ｄ，３２Ｅ，３２Ｆの順番に、尿の各透液部への到達が抑制される。よって、第１室１０から第２室２０への尿の流入を、透液部３２Ａ，３２Ｂ，３２Ｃ，３２Ｄ，３２Ｅ，３２Ｆの順番に容易にずらすことができるとともに、第１室に残留する尿を最小限とし、容器内に流入された尿のほぼ全てをゲルの状態で収容することができる。
【００３１】
第１室１０および第２室２０の容積、ゲル化材２２の量、隔壁３０の寸法（例えば透液部３２および非透液部３４の上下方向幅）は適宜設定して、図３〜図５に示す第１の例や上述の第２の例のようにゲル化が行えるようにすればよい。例えば、既知のゲルの膨張率を考慮して第２室２０の容積を決定し、ゲルの膨張速度を考慮して、第１室１０の容積および隔壁３０の寸法を決定することができる。例えば１Ｌの尿を収容可能な蓄尿バッグ（２５０×３００ｍｍ程度）の場合、隔壁３０の寸法としては、透液部が１０〜２０ｍｍ、非透液部２０〜４０ｍｍ程度とすることができる。
【００３２】
ゲル化材２２は公知のものを用いることができ、例えば合成ポリマーとしては、ポリアクリル酸系樹脂、ポリエチレンオキシド系樹脂、無水マレイン酸系樹脂、ポリスルホン酸系樹脂、ポリアクリルアミド系樹脂、ポリビニルアルコール系樹脂などの材料やその組み合わせ、天然物由来ポリマーとしては、ポリアスパラギン酸系、ポリグルタミン酸系、ポリアルギン酸系、デンプン系、セルロース系、プルラン系、デキストラン系、デキストリン系、その他多糖類の架橋物および、その組み合わせを用いることができる。また、増粘多糖類を始めとする各種増粘材やモンモリロナイト等の粘土鉱物を用いることも可能である。
【００３３】
ゲル化材２２はまた、上記材料を粉末状としたものを用いることができ、その場合、平均粒径は０．１ｍｍ〜４ｍｍが好ましい。特に０．２ｍｍ〜２ｍｍがより好ましい。０．１ｍｍ未満の場合、尿を吸収した時に表面で凝固して、それ以上の尿の吸収を阻害し、４ｍｍ超えの場合、尿の吸収効率が悪くなるおそれがあるからである。ゲル化材には単一の粒径を用いても構わないが、異なった粒径のものを組み合わせることもできる。なお、ここでいう「平均粒径」とは、レーザー回折・散乱法によって求めた粒度分布における積算値５０％での粒径を意味する。また、粒径が小さいゲル化材と粒径が大きいゲル化材とを組み合わせることで、ゲル中での尿の透過性は調整可能である。
【００３４】
本実施形態の容器１００は、図１（Ｂ）に示すように、隔壁３０の第２室２０側にメッシュ構造のシート４０を有する。これにより、ゲル化材２２がシート４０にせき止められ、隔壁の透液部３２、特に最下部の透液部である隙間３８から第１室１０に流出することを十分に抑制することができる。本実施形態において、シート４０はその全周が外装シート５０，６０とともにシールされている。メッシュの目開きは、ゲル化材の粒度に応じて適宜決めることができる。メッシュシートは、ゲル化材は通過させず尿を通過させる構造であれば特に限定されず、材料も公知のものを用いればよく、例えばポリエチレン、ポリプロピレン、ポリ塩化ビニル、ＰＥＴ−エチレン酢酸ビニル共重合体などの材料からなるシートを用いることができる。また、メッシュシートは、レーヨンをはじめとする親水性不織布、パルプを含む紙によって構成することも可能である。
【００３５】
外装シート５０，６０は厚み０．０１〜３ｍｍ程度とし、材料は公知のものを用いればよく、例えばポリエチレン、ポリプロピレン、ポリブタジエン、エチレン−酢酸ビニル共重合体の様なポリオレフィン、オレフィン系エラストマー、スチレン系エラストマー等の各種熱可塑性エラストマー、あるいは、これらを任意に組合せたもの（ブレンド樹脂、ポリマーアロイ、積層体等）が挙げられる。そして、使用する樹脂材料は、高圧蒸気滅菌（オートクレーブ滅菌）に耐えられる耐熱性、耐水性あるいは、γ線滅菌、ＥＢ滅菌に耐えられる性質を有していることが好ましい。
【００３６】
また、隔壁３０としては例えば外装シートと同様の材料からなる帯状シート３６を用いることができる。また、本実施形態では、複数の帯状シート３６を用いたブラインド様構造で隔壁３０を構成した。これにより、例えば透液部３２Ａから尿が第２室２０へ流入できるうちは、透液部３２Ｂ〜Ｆからは尿が第２室２０へ流入しにくい。すなわち、より下部の透液部から尿が第２室２０へ流入できるうちは、上部の透液部からは尿が第２室２０へ流入しにくいため、より確実に均一なゲル化を実現することができる。
【００３７】
ただし、本発明はこれに限定されず、例えば透水性フィルムと非透水性フィルムとを容器の上下方向に交互に配設した１枚のシートにより隔壁３０を構成してもよい。この場合には、メッシュ構造のシート４０がなくとも、ゲル化材の第１室への混入を防ぐことができるため、好ましい。透水性フィルムとしては、微細な小孔を多数あけた高分子フィルム（例えば外装シートと同様の材料）を使用することができる。また、非透水性フィルムとしては、例えば外装シートと同様の材料を使用することができる。
【００３８】
本実施形態では、隔壁３０の最下部が透液部３２Ａ（隙間３８）である例を示したが、本発明はこれに限定されず、最下部が非透液部であってもよい。この場合、全てのゲル化材をゲル化する観点から、最下部の非透液部の高さは、一番下の透液部から第２室２０に流入する尿によって、第２室２０の底のゲル化材までゲル化する程度とすることが好ましい。
【００３９】
本実施形態では、尿を収容するための容器（蓄尿バッグ）を示したが、本発明は尿に限らず、例えば腹水／胸水、胆汁、消化管液、術野浸出液、脳脊髄液、のドレナージ、腹膜透析液などの生体排液をゲルの状態で収容するものであってもよい。
【００４０】
（実施形態２）
図６を参照して、本発明の他の実施形態にかかる容器（蓄尿バッグ）２００を説明する。本実施形態は、容器の形状が異なる以外は実施形態１の容器１００と同様であるため、実施形態１と異なる点のみ説明する。
【００４１】
容器２００は、第１の径をもつ円筒状の非透水性シートからなる外装シート５２の内部に、第１の径よりも小径の第２の径をもつ円筒状の隔壁３０と配置してなる。隔壁３０で囲まれた領域が第１室１０となり、外装シート５２と隔壁３０との間の領域が第２室２０となる。第１室１０に尿が流入され、第２室２０にゲル化材２２が配置される。隔壁３０は、図２（Ｂ）に示した複数枚の帯状のシートを円筒状に閉じたものである。隔壁３０の外側にはメッシュ構造のシート４０が配置される。
【００４２】
本実施形態の容器２００でも、容器１００と同様に、最初に流入する尿はゲル化材２２の下部から吸収させ、さらに、吸水余力を残したゲルまたはゲル化していないゲル化材部分の上面より下部に適時に尿が供給される。そのため、気泡やダマの残留が抑制され、その結果、尿を均一にゲルの状態で収容することが可能となる。
【００４３】
また、尿の吸収によるゲルの膨張に伴い、第１室１０が周囲のゲルによって下方から順に潰されて、尿が通過する透液部を容器２００の上方向に順番にずらすことができる。
【産業上の利用可能性】
【００４４】
本発明によれば、気泡やダマの残留を抑制することで、生体排液を均一なゲルの状態で収容することが可能な容器を提供することができる。
【符号の説明】
【００４５】
１００，２００  容器
１０  第１室
２０  第２室
２２  ゲル化材
２２Ａ  ゲル化材の上面
２４  ゲル
３０  隔壁
３２  透液部
３４  非透液部
３６  帯状シート
３８  隙間
４０  メッシュシート
【図１】
2013169242.tif 000003
【図２】
2013169242.tif 000004
【図３】
2013169242.tif 000005
【図４】
2013169242.tif 000006
【図５】
2013169242.tif 000007
【図６】
2013169242.tif 000008
【図７】
2013169242.tif 000009